(57)【要約】【課題】  従来の装置は、不審者が家屋内に侵入後に警報器が作動する為、在宅時には不審者との鉢合せになる危険性と、外出時には発見が遅れるので被害が多い。【解決手段】  視野角の狭い赤外線検知器と警報器を一体化して可動できる構造をした検知警報器を、家屋周囲の扉・窓の上部に複数を直列接続して受信器と接続する。家屋の扉・窓に接近して異常行為をする警戒域の不審者の動きを侵入前に検知し、一定時間以上継続した場合のみ警報出力する方法で誤警報を除去し、在宅時は自動的にタイマ−による警報待機時間帯のみ警報可能とし、検知した不審者の面前で警報威嚇と住人と不審者の鉢合せを防ぎ、外出時は来客と不審者に対しあらかじめ警告し、警告無視する不審者に対し異常警報を発生し、近隣と外部に異常警報を通報させる手段で家屋内の侵入を防止する。【選択図】図１
2007241965.tif 000002
【特許請求の範囲】
【請求項１】
家屋周囲の扉・窓から屋内に侵入しようとする不審者を屋外で検知し、警報を発生する赤外線式防犯警報システムであつて、家屋周囲の扉・窓の上部に赤外線検知器と警報器を同一筐体に内蔵した検知警報器とし、各警戒域が異なる複数の検知警報器と屋内の受信器とを直列接続し、不審者が同一検知警報器下に留まるか他の検知警報器下に移動して、家屋の扉又は窓を開錠する為の異常行為を一定時間以上継続した時に不審者を異常者と判定し、全検知警報器と受信器に警報を発生させる赤外線式防犯警報システム。
【請求項２】
請求項１の警戒域を検知する検知警報器の構造は、狭い視野角をもつ単眼の赤外線検知器と不審者を威嚇する複数の警報ランプとが検知警報器の筐体の前面に設けられていて、警報音発生器とこれらを増幅・制御する検知警報ユニツトとが筐体内部に設けられ、赤外線検知器と警報ランプと筐体全体を降雨と飛来物の保護カバ−で囲み、この筐体の側面と家屋に固定する取付台の先端をＬ形パイプで接続し、取付台とＬ形パイプの接続部分および筐体とＬ形パイプとの接続部分とを各独立して回転可能とさせ、筐体を上下左右に可動とし、検知警報ユニツトと他の検知警報器および受信器間の電気的接続を各取付台内部の接続端子でおこなわせ、各検知警報器と受信器間の信号と電源を伝送する赤外線式防犯警報システム。
【請求項３】
請求項１の不審者を異常者としての判定方法は、不審者による検知警報器からの検知信号を受信器に入力し、異常者判定のタイマ−を開始後の検知信号が、タイマ−の設定時間以内で停止すれば誤検知として除去し、設定時間以上で継続すれば警報ゲ−トを開き、検知信号を不審者の追跡出来る断続警報出力に変換して不審者が退去するまで継続し、退去後の検知信号の停止から一定時間後に警報ゲ−トを閉じる赤外線式防犯警報システム。
【請求項４】
請求項１の警報を在宅時の検知方法として、不審者のみを検知し住人による誤検知を除去する警報待機時間帯を２４時間タイマ−を用いて自動的に設定させ、この時間帯に発生する警報を、受信器内の警報器および無線警報発信器で動作する屋内の任意場所に設置した複数の無線警報受信器により、在宅住人には不審者が留まる時は間隔の短い断続警報音と移動時には間隔の長い断続警報音により、不審者が退去するまで動向探知を可能にさせ、不審者には各検知警報器から警報光と警報音で威嚇させる赤外線式防犯警報システム。
【請求項５】
請求項１の警報を外出時の検知方法として、受信器内の制御回路により警告と異常警報に分離し、検知警報器により警告時は来客又は不審者に短時間の警告音声又はブザ−音および警告光で対応させ、更に警告後にも留まる不審者による異常警報時には長時間の異常警報音声又は点滅ブザ−音および点滅警報光により威嚇させ、同時に住人が帰宅まで異常表示を保持して不審者との鉢合せの防止と電話機中継器を介し市販電話機により外部電話機に通報させる赤外線式防犯警報システム。
【請求項６】
請求項４の在宅時警報と請求項５の外出時警報の切替忘れ防止方法として、受信器の内部側面にマグネツトスイツチを固定し、受信器の外部側面にマグネツトスイツチ切替をする磁石を外出時に出入りする扉の把手に着脱させる赤外線式防犯警報システム。
【請求項７】
請求項１の受信器の構造は、操作パネル表面に上下の開閉出来る飾り板付可動形パネル板を設け、可動形パネル板を開いた時のみ操作パネル表面で機器の操作可能で、閉じた時に操作パネル表面の下部に固定し、操作パネルの上部に円筒形の筐体を設け、筐体前面でランプ表示させ、筐体内部で警報音を共鳴させる赤外線式防犯警報システム。
【請求項８】
請求項５の警告時の不審者と異常警報時に近隣の広範囲とに警報を発生させる手段として、検知警報器間の任意の位置に外部警報器を設け、受信器の直流電源から微少電流で外部警報器内の充電池に貯えた電力で、受信器の警告出力により不審者をランプ表示と録音済警告音声を低音量で警告し、異常警報出力により近隣の広範囲に点滅ランプ表示と録音済異常警報音声を高音量で通報させる赤外線式防犯警報システム。
【発明の詳細な説明】
【技術分野】
【０００１】  本発明は家屋に近づく不審者に対して、警報器により家屋内への侵入を防止する赤外線検知器、受信器、警報器等を組合せて構成した赤外線式防犯警報システムに関する。
【背景技術】
【０００２】  従来の防犯警報装置は、検知器の種類・不審者の検知方法・受信器の機能・警報器の種類等を組合せて構成されている。【０００３】  検知器は、一般的にマグネツトスイツチと赤外線検知器が用いられている（非特許文献１および非特許文献２  参照。）。【０００４】  検知器信号で回路により不審者と判別する方式として、時間経過で警報間隔を短く継続させた場合が不審者と判定するもの（特許文献１  参照。）と一定時間の間隔で警報を継続させた場合が不審者と判定するもの（特許文献２  参照。）がある。【０００５】  検知器信号で誤警報を除去して不審者を回路で判定して警報出力するものと製品として、検知器による検知信号数が、一定時間以内にあらかじめ設定した回数以上あれば、警報出力として警報を継続させるもの（特許文献３  参照。）、検知器による検知信号が、一定時間以上に継続すれば、警報出力として警報を継続させるもの（非特許文献１  参照。）がある。但し回路方式は、不審者の動きが判別出来る検知器信号が必要（例えば複眼式赤外線検知器）である。【０００６】  検知器のみで、誤警報を除去し警報出力が得られるものとして複眼の検知器を用いるものと距離センサ−と熱線センサ−を組合せた検知器のものにより小動物による誤警報を防止するもの（特許文献４  特許文献５  参照。）がある。【０００７】  在宅時の住人による扉・窓の開閉および警戒エリアに接近等による誤警報防止として、家屋の扉・窓等に設置した各検知器毎に、受信器パネル面で昼・夜間・就寝・外出時に警報待機時間帯をスイツチ切替で操作して、これらの状況を受信器面の複数のランプ又はＬＣＤ表示器により表示しているもの（特許文献６  非特許文献１および非特許文献２  参照。）がある。【０００８】  従来、警報受信器の内蔵警報器以外に別電源・別配線により屋内外の警報器として市販の大小各種の警報器を使用して家屋住人および近隣へ通報がされているもの（非特許文献１および非特許文献２  参照。）がある。【０００９】  受信器専用の自動通報器を接続して、ＮＴＴを介し複数の外部電話機により警報の通報が出来るもの（非特許文献１および非特許文献２  参照。）がある。
【特許文献１】  実用新案登録公報  第２５４３２０９号
【特許文献２】  特許公報  第２６１３５９３号
【特許文献３】  公開特許公報  特開平９−６２９５０
【特許文献４】  公開特許広報  特開平１０−２１３６７３
【特許文献５】  公開特許公報  特開平５−３２５０５２
【特許文献６】  公開特許公報  特開２００５−１７３８３７
【非特許文献１】  「松下電工  ワイヤレスセキュリテイシステム  ＷＴＣＴ１Ｂ０５５  Ｎ２００４１２−３ＸＺ」、松下電工株式会社。
【非特許文献２】  「パトライト  パト・ガ−ド  カタログ番号  ５２０１Ａ  ０５０２  Ｎ（Ｎ）／Ｎ（ＮＮ）Ａ」、株式会社  パトライト。
【発明の開示】
【発明が解決しようとする課題】
【００１０】  従来のドア・窓用の防犯警報装置では、不審者が家屋の扉・窓から、侵入時の異常行為によるドア・窓を開錠時のマグネツトスイツチ等により警報発生させるので、屋内に不審者が侵入後となるので警報は威嚇効果が少なく、近隣には家屋外から不審者を見つける事は困難で、外部の通報も遅れ被害が多くなる。【００１１】  本発明は、不審者が家屋に接近し扉・窓間を移動して、侵入し易い扉・窓に接近時か、異常行為時に検知して警報を発生し、屋内への侵入防止する方法を提供する。【００１２】  従来の屋側警戒用の防犯警報装置では、赤外線検知器により屋側の警戒エリア内に接近して、動く不審者を検知するには、構造が複雑な複眼式の赤外線検知器が必要で、且つ誤警報防止回路を用いても警戒エリアが広いと不審者以外の赤外線発生物による誤検知の頻度も多くなる。【００１３】  本発明は、不審者を限定した小さい警戒エリアを単眼赤外線検知器と誤警報防止回路の二重の誤警報防止方式により、異常行為する不審者のみ警報を発生して誤警報の頻度を少なくする方法を提供する。【００１４】  従来の防犯警報装置では、在宅住人による扉・窓の開閉および警戒エリアの接近による誤警報防止のため、家屋内の扉・窓に設置したマネツトスイツチおよび赤外線検知器の警報待機時間を昼・夜・就寝時・外出時に検知器毎に受信器で切替操作を必要とするので、煩わしく間違いも生ずる。又帰宅時の外出スイツチの切替忘れによる誤警報を生じやすい。【００１５】  本発明は、屋外検知方式で扉・窓の開閉による誤警報を無くし、タイマ−使用により警報待機時間帯のみスイツチ操作を自動設定して手動操作を不用とする方法と、外出時には外部からの操作でスイツチ切替忘れの防止策を提供する。【００１６】  従来の防犯警報装置では、不審者を検知して受信器内の警報器による通報は受信器を設置した室内に限定され、その他の屋内外で使用する警報器は、市販警報器を用い特定場所で限定されたエリア内の警報発生として使用されているが、前記エリア以外では不審者の検知が困難である。又屋内外の警報器の動作に別電源と別配線工事が必要となる。【００１７】  本発明は、検知器と警報器を同一筐体と同一の接続ケ−ブルで構成し、家屋周囲に複数設けて不審者を検知・警報発生させ、別に警報器と警報器用電源およびケ−ブルと配線工事を不用とする構成を提供する。【００１８】  従来の防犯警報装置では、不審者を検知時に受信器内のスピ−カ−により予備音声発生後に防犯音声を継続する方式が有る。
しかし在宅住人は前記警報音声のみでは、不審者の動向を検知できないので不審者と鉢合せの危険性がある。又外出時には来客と不審者とを判別しての警報発生が出来ない。【００１９】  本発明は、在宅時の不審者による警報発生時には任意の居室で不審者の動向を探知して鉢合せの危険性を除去し、外出時の来客と不審者に対しては警告と退去しない不審者には異常警報による二段構えの警報方法を提供する。【００２０】  従来の防犯警報装置では、外出時の警報発生時に近隣の広い範囲には市販の高音量報知器と外部には専用の通報器付電話機を用いて通報されている。
しかし誤警報時および不審者の早期退出時の場合には、近隣および外部に迷惑となる。【００２１】  本発明は、警告時では不審者に対する警告音のみとし、短時間の誤警報時および不審者の早期退出時には高警報音量の発生と外部に通報せず、異常警報時のみ高警報音量で広範囲の近隣に通報と、センサ−付市販電話機でも外部の通報が出来る方法を提供する。【００２２】  従来の防犯警報装置に用いられる受信器のスイツチ類は表面に露出しているので家屋内に取付の場合には、いたずらも含め誤操作される事と住宅内の取付けには受信器自体に機械感の堅い感じがする。【００２３】  本発明は、開閉出来るインテリア風パネル板にして、スイツチ操作は必要な時のみパネル板を開き操作出来る方法を提供する。
【課題を解決するための手段】
【００２４】  家屋周囲の扉・窓から屋内に侵入しようとする不審者を屋外で検知し、警報を発生する赤外線式防犯警報システムであつて、家屋周囲の扉・窓の上部に赤外線検知器と警報器を同一筐体に内蔵した検知警報器とし、各警戒域が異なる複数の検知警報器と屋内の受信器とを直列接続し、不審者が同一検知警報器下に留まるか他の検知警報器下に移動して、家屋の扉又は窓をピツキングあるいは破壊等の異常行為を一定時間以上継続した時に不審者を異常者と判定し、全検知警報器と受信器に警報を発生させる構成としている。【００２５】  前記警戒域を検知する検知警報器の構造は、狭い視野角をもつ単眼の赤外線検知器と不審者を威嚇する複数の警報ランプとが検知警報器の筐体の前面に設けられていて、警報音発生器とこれらを増幅・制御する検知警報ユニツトとが筐体内部に設けられ、赤外線検知器と警報ランプと筐体全体を降雨と飛来物の保護カバ−で囲み、この筐体の側面と家屋に固定する取付台の先端をＬ形パイプで接続し、取付台とＬ形パイプの接続部分および筐体とＬ形パイプとの接続部分とを各独立して回転可能とさせ、筐体を上下左右に可動とし、検知警報ユニツトと他の検知警報器および受信器間の電気的接続が取付台内部の接続端子でおこなわれ、各検知警報器と受信器間の信号と電源を伝送する方式としている。【００２６】  不審者を異常者とする判定する手段としての判定方法は、不審者による検知器信号からの検知信号を受信器に入力し、異常者判定のタイマ−を開始後の検知器信号が、タイマ−の設定時間以内で停止すれば誤検知として除去し、設定時間以上で継続すれば警報ゲ−トを開き、検知信号を不審者の追跡出来る断続警報出力に変換して不審者が退去するまで継続し、退去後の検知信号の停止から一定時間後に警報ゲ−トを閉じる事を特徴としている。【００２７】  在宅時の警報の検知方法として、不審者のみを検知し住人による誤検知を除去する警報待機時間帯を２４時間タイマ−を用いて自動的に設定させ、この時間帯に発生する警報を、受信器内の警報器および無線警報発信器で動作する屋内の任意場所に設置した複数の無線警報受信器により、在宅住人には不審者が留まる時は間隔の短い断続警報音と移動時には間隔の長い断続警報音により、不審者が退去するまで動向探知を可能にさせ、不審者には各検知警報器から警報光と警報音で威嚇させる事を特徴としている。【００２８】  外出時の警報の検知方法として、受信器内の制御回路により警告と異常警報に分離し、検知警報器により警告時は来客又は不審者に短時間の警告音声又はブザ−音および警告光で対応させ、更に警告後にも留まる不審者による異常警報時には長時間の異常警報音声又は点滅ブザ−音および点滅警報光により威嚇させ、同時に住人が帰宅まで異常表示を保持して不審者との鉢合せの防止と電話機中継器を介し市販電話機により外部電話機に通報させる事を特徴としている。【００２９】  在宅時警報と外出時警報の切替忘れ防止方法として、受信器の内部側面にマグネツトスイツチを固定し、受信器の外部側面にマグネツトスイツチ切替をする磁石を外出時に出入りする扉の把手に着脱させる方式としている。【００３０】  受信器は、操作パネル表面に上下の開閉できる飾り板付���動パネル板を設け、可動パネル板を開いた時のみ操作パネル表面で機器の操作が可能で、閉じた時に操作パネル表面の下部に固定し、操作パネルの上部に円筒形筐体を設け、筐体前面でランプ表示させ、筐体内部で警報音を共鳴させる構造としている。【００３１】  警告時の不審者と異常警報時に近隣の広範囲に警報の発生手段として、検知警報器間の任意の位置に外部警報器を設け、受信器の直流電源から微少電流で外部警報器内の充電池に貯えた電力で、受信器からの警告出力により不審者をランプ表示と録音済警告音声を低音量で警告し、異常警報出力により近隣の広範囲に点滅ランプ表示と録音済異常警報音声を高音量で通報させる事を特徴としている。
【発明の効果】
【００３２】  家屋の扉・窓に接近して覗き、扉のピツキング・窓の開錠等の異常行為で家屋内に侵入しようとする不審者を屋外周囲の任意の場所で検知して屋内への侵入を防止する。【００３３】  在宅時の住人による家屋の出入り、通行人および動物の移動・偶発的な熱線発生物等による誤警報を防ぎ、不審者のみ検知した警報発生が出来る。【００３４】  在宅時には不審者が家屋周囲を移動して扉・窓に接近する毎に、不審者面前での威嚇警報と近隣にも警報し、不審者が退去するまで在宅住人には不審者の動きがわかり、不審者との鉢合せを防ぐ。【００３５】  外出時には二段構えの警報で、初回は来客と不審者に警告音とランプ光により対応し、更に警告を無視する不審者には、遠くの近隣にも届く異常警報音を発生出来る。
更に安価なセンサ−付市販電話機と接続し、異常警報時のみ外部電話機に通報が出来る。【００３６】  外出から帰宅時、異常警報発生後にも不審者が家屋に留まつている場合には玄関の検知警報器に異常表示ランプが点灯保持されているので、不審者との鉢合せを防ぐ。【００３７】  受信器のスイツチ操作が不用で、外出時のみ磁石キ−を玄関扉の把手に着脱してスイツチ切替忘れ防止させる操作のみで、誰でも容易に防犯警報システムの利用が出来る。【００３８】  受信器の表面を絵画又は写真付インテリア飾りパネル板に利用出来るので、玄関近くに設置しても他の飾り家具と比較して違和感を生じない。
【発明の実施するための最良の形態】
【００３９】  以下、本発明につき図１〜図７の接続図、斜視図に基づいて説明する。
【００４０】  図１に複数の検知警報器１と受信器２０を検知警報器接続ケ−ブル２で直列に接続した赤外線式防犯警報システムの接続図を示す。
検知警報器１の接続端子３と受信器接続端子２１間を複数の検知警報器接続ケ−ブル２で直列に接続し、直流電源と信号を伝送する。
検知警報器１は、主として玄関および勝手口の扉で使用の音声式検知警報器１ａと家屋周囲の扉および窓等で使用のブザ−式検知警報器１ｂの２種類で構成する。
検知警報器１の赤外線検知器６で不審者を検知し検知器回路４から数秒間の出力幅をもつ検知信号として受信器２０に出力する。
検知信号は、受信器２０内の異常者判定回路３０により不審者を異常者と判定し、不審者の動き毎に発生する断続警報出力に変換して、在宅・外出切替回路２４で在宅制御回路４０か外出制御回路５０かを選択して、屋内警報としては警報ブザ−２５・無線警報発信器２６と電話機中継器２７に伝送し、屋外警報として外部警報出力・スピ−カ−警報出力・異常警報出力を検知警報器１に伝送する。
音声式検知警報器１ａは、外部警報出力を警報制御・増幅回路５で制御・増幅し、ＬＥＤランプ７ａで警報表示とスピ−カ−８ａで警報音声の発生および異常ＬＥＤランプ７ｂで異常表示をさせる。
ブザ−式検知警報器１ｂは、外部警報出力を警報制御・増幅回路５で制御・増幅し、ＬＥＤランプ７ａで警報表示とブザ−８ｂで警報音を発生させる。
【００４１】  図２に検知警報器１の構成部品の斜視図を示す。
検知警報器１は筐体前部１１ａ，筐体背面蓋１１ｂ、保護カバ−１２，Ｌ形接続パイプ１３、取付台１４、取付台蓋１５から構成される。
円筒形の筐体前部１１ａは、前面の中央に赤外線検知器６とその周囲にＬＥＤランプ７ａとＬＥＤランプ７ｂを設け、内部に検知警報ユニツト９ａを固定し、警報音発生器８を固定した背面蓋１１ｂと接合させる。
筐体前部１１ａと背面蓋１１ｂを降雨と飛来物を防止した保護カバ−１２で囲い、筐体側面の穴に降雨用パツキング１６を設け、Ｌ形接続パイプ１３の一端を挿入し、他端を取付台１４の先端の穴に挿入し、この取付台１４を家屋の軒下又は側壁に固定する取付台蓋１５と結合させる。
検知警報ユニツト９ａから前記の各部品間の電気的接続とＬ形接続パイプ１３の内部を経由してユニツト接続線９ｂと他の検知警報器接続ケ−ブル２を取付台１４の内部に固定した接続端子３に電気的接続する。
【００４２】  図３は検知警報器１の斜視図と設定方法を示す。
赤外線検知器６の方向を図３に示すｙ軸方向の回転させ上下に可動して、パイプ固定ネジ１７ａと筐体先端固定ネジ１７ｂと筐体背面固定ネジ１７ｃで固定させる。
Ｌ形接続パイプ１３をｘ軸方向に回転させ、赤外線検知器６の方向を左右に可動して、取付台固定ネジ１８で取付台１４に固定させる。
【００４３】  図４は、受信器内の接続および外部機器との接続を示す。
検知警報器１から検知信号を入力し、異常者判定回路３０により下記の方法で不審者を異常者として判定する。
異常者判定回路３０は、警報ゲ−ト回路３１・異常者判定設定器３２・警報開始タイマ−３３・警報停止タイマ−３４により構成し、それぞれ下記の機能を有する。
警報ゲ−ト回路３１：警報ゲ−ト開時のみ検知信号を断続警報出力に変換する。
警報開始タイマ−３３：異常者判定設定器３２により任意の異常者判定時間Ｔ１を設定                        し、不審者を最初の検知信号によりタイマ−を開始して、Ｔ１                        後に警報ゲ−ト回路３１を開にする。
警報停止タイマ−３４：前記不審者の検知時と同時にタイマ−が開始し、異常者判定設                        定器３２の最大時間Ｔ２で警報ゲ−ト回路３１を閉にするが、                        検知信号の入力毎にタイマ−を初期化し、Ｔ２後に警報ゲ−ト                        回路３１を閉にし、タイマ−３１とタイマ−３４を初期化する                        。
不審者が侵入時、警報開始タイマ−３３が開始して、Ｔ１以上留まると警報ゲ−ト回路３１が開となり、不審者による検知信号毎に断続警報出力が取出され、不審者が退去するまで継続する。退去後は検知信号がなくなり、警報停止タイマ−３４がＴ２経過後に警報ゲ−ト回路３１が閉となる。もし不審者がＴ１以内に退去すれば、警報ゲ−ト回路３１は開かず、不審者が退去したＴ２後に各タイマ−は初期化される。
【００４４】  図４の在宅制御回路４０は、在宅時の警報制御を示す。
外出キ−磁石２２をマグネツトスイツチ２３に接近させた状態で、マグネツトスイツチ２３の信号で在宅・外出切替回路２４（在宅側Ｓａ  外出側Ｓｂ）を在宅側にする。警報ゲ−ト３１から在宅制御回路４０のタイマ−スイツチ４４に入力する。
不審者を検知する時間帯をあらかじめ警報待機の時間帯設定器４２で時間帯を設定し、警報待機開始時に開始スイツチ４１を操作し、２４時間で繰返し動作するタイマ−回路４３により、警報待機の時間帯のみタイマ−スイツチ４４をＳｂ側に接続して警報発生を可能とし、監視中表示ランプ２８を点灯させる。
監視中の不審者による断続警報出力は、屋内の警報ブザ−２５と無線警報発信器２６を動作させる。又外部警報出力およびスピ−カ−用発信回路４５により交流信号に変換したスピ−カ−警報出力を検知警報器１に伝送する。
【００４５】  図４の外出制御回路５０は、外出時の警報制御を示す。
外出キ−磁石２２をマグネツトスイツチ２３から遠ざけた状態で、マグネツトスイツチ２３の信号で在宅・外出切替回路２４を外出側にして、監視中表示ランプ２８を点灯させ、警報ゲ−ト回路３１から断続警報出力を外出制御回路５０の警告・異常制御回路５１に入力し、初回の断続警報出力で警告・異常切替回路５３（警告側Ｓａ  異常側Ｓｂ）を警告側にし、制御出力回路５２から外部警報出力と音声録音発生器５５からの警告音声信号をスピ−カ−警報出力として検知警報器１に伝送する。
前記の警告後から一定時間以内に引き続き二回目の断続警報出力で警告・異常切替回路５３を異常側に切替え、制御出力回路５２から点滅出力回路５４を動作させ、異常警報の点滅する外部警報出力と音声録音発生器５５からの異常音声信号をスピ−カ−警報出力として検知警報器１に伝送する。
同時に電話機中継器２７を介し、異常警報をセンサ−付電話機６０ｂから、外部電話機（一般用電話機および携帯電話機）６０ｃに通報させ、異常表示保持回路５６により継続した異常警報出力を検知警報器１に伝送する。
帰宅時に在宅・外出切替回路２４を在宅側に切替えて、警告・異常制御回路５１と異常表示保持回路５６を初期化する。
【００４６】  図５は、受信器２０の構成部品の斜視図を示す。
受信器２０は、受信器筐体７０の表面に操作パネル７１を取付け、その上部に飾り板付可動パネル７６を設け、その裏面上部に固定したパネル板取付金具７６ａを固定し、２組のパネル板固定ネジ７６ｂにより、受信器筐体７０の両側面のパネル板取付穴７０ａにネジ込み、操作パネル７１の表面で開閉出来るようにする。
飾り板付可動パネル７６の内側下部に貼付けた飾り板付磁石７６ｃにより、閉じた時に操作パネル７１の表面下部に貼付けたパネル板固定用鉄板７１ａに固定する。
操作パネル７１の下部に受信器ユニツト７４を固定して、異常者判定設定器３２、時間帯設定器４２、待機開始スイツチ４１を操作パネル７１の上部から操作出来るようにする。
受信器筐体７０の上部に筐体固定パイプ７２ａにより円筒形状の表示・警報部筐体７２を固定して、筐体内部に警報ブザ−２５と、筐体前面に監視中表示ランプ２８を取付け、筐体パイプ７２ａ内を表示・警報接続線７５の配線で受信器ユニツト７４と接続する。
受信器筐体７０の左側面に無線警報発信器２６を取付け、受信器筐体７０の内部右側面にマグネツトスイツチ２３を固定する。
又外部右側面に外出キ−磁石収納箱７３を固定し、内部に外出キ−磁石２２を収納し、着脱によりマグネツトのスイツチ２３の切替をさせる。
【００４７】  図６は、図５で組立てられた受信器２０の斜視図を示す。
【００４８】  図７は検知警報器間の任意の位置に設けられた屋外警報器の接続図を示す。
受信器２０から外部警報器８０の警報接続端子８１に直流電源と警報出力を接続し、抵抗器８２と逆流防止のダイオ−ド８３を用い、受信器２０から微少電流で連続して充電池８４に充電させる。
警告信号のみ検知する警告判別器８５と異常警報信号の点滅出力で直流変換して検知する異常警報判別器８６で、電源切替スイツチ８７を接続して電源を録音済の音声警報制御回路８８に供給し、警告信号と異常警報信号で制御可能とさせる。
警告時には、音声警報制御回路８８から警告出力を取出し、スピ−カ−８９ａにより低音量の警告音声を発生させ、警報表示ランプ８９ｂにより連続点灯をさせる。
異常警報時には、異常警報出力を取出し、スピ−カ−８９ａにより高音量の異常警報音声を発生させ、警報表示ランプ８９ｂにより点滅点灯させる。
【実施例】
【００４９】  図８は、一例として検知警報器を用いて、玄関扉に接近してピツキングにより開錠し、屋内に侵入しようとする不審者を検知し警報を発生させる実施例を示す。
検知警報器を図８に示す軒下に固定し、赤外線検知器の方向を玄関扉の錠前の方向に合わせ警戒域を設定する。
不審者が警戒域を身体の一部（頭・手足等）を前後および上下左右に動かす行為を継続すると、一定時間後に検知警報器から不審者に警報光を照射し、警報音を発生させる。【００５０】  図９は、不審者に侵入されやすい家屋周囲の扉・窓の上部に設けた複数の検知警報器と受信器を直列に接続した一例を示す。
各検知警報器により図８と同様な方法で不審者を検知し、不審者面前の警報以外にも、家屋周囲に設けた複数の検知警報器で警報光と警報音を発生させ、不審者には更なる威嚇を与えると同時に家屋周辺の近隣にも警報を通報出来る実施例を示す。【００５１】  図１０は、受信器による各種の実施例を示す。
（１）受信器の操作パネル面上の飾り板付き可動パネル面上に家族の好みによる風景又        は動物画を貼り付けたインテリア飾り板として利用する。
（２）外出時に、玄関扉内部の把手に外出キ−磁石を移動させ、帰宅時には把手から外        出キ−磁石を受信器に返却する事で、スイツチ切替を忘れを防止する。
（３）夜間又は就寝時に、居間・寝室等に任意に移動出来る電池式の無線警報受信器を        設け、家屋周囲に接近した不審者の動向を検知し、鉢合わせを防ぐ。
（４）受信器の異常警報で電話機中継器内の赤外線発光器を動作させ、センサ−付電話        機の熱線センサ−から電話機に伝送して、外部電話機（携帯電話機）に通報する        。
【図面の簡単な説明】
【００５２】
【図１】本発明の赤外線式防犯警報システムの接続図
【図２】同検知警報器の構成部品を示す斜視図
【図３】同検知警報器の斜視図
【図４】同受信器内の接続と外部機器との接続図
【図５】同受信器の構成部品を示す斜視図
【図６】同受信器の斜視図
【図７】同屋外警報器の接続図
【図８】同不審者の検知・警報の実施例
【図９】同不審者の検知場所の実施例
【図１０】同受信器による各種の実施例
【符号の説明】
【００５３】  １・検知警報器
１ａ・音声式検知警報器      １ｂ・ブザ−式検知警報器
２・検知警報器接続ケ−ブル  ３・接続端子              ４・検知器回路
５・警報制御・増幅回路      ６・赤外線検知器        ７ａ・ＬＥＤランプ
７ｂ・異常ＬＥＤランプ        ８・警報音発生器        ８ａ・スピ−カ−
８ｂ・ブザ−                ９ａ・検知警報ユニツト    ９ｂ・検知警報接続線
１０・検知警報器筐体
１１ａ・筐体前部            １１ｂ・筐体背面蓋        １２・保護カバ−
１３・Ｌ形接続パイプ        １４・取付台              １５・取付台蓋
１６・降雨用パツキング      １７ａ・パイプ固定ネジ    １７ｂ・筐体先端固定ネジ
１７ｃ・筐体背面固定ネジ    １８・取付台固定ネジ
２０・受信器
２１・受信器接続端子        ２２・外出キ−磁石        ２３・マグネツトスイツチ
２４・在宅・外出切替回路    ２５・警報ブザ−          ２６・無線警報発信器
２７・電話機中継器          ２８・監視中表示ランプ
３０・異常者判定回路
３１・警報ゲ−ト回路        ３２・異常者判定設定器
３３・警報開始タイマ−      ３４・警報停止タイマ−
４０・在宅制御回路
４１・待機開始スイツチ      ４２・時間帯設定器        ４３・タイマ−回路
４４・タイマ−スイツチ      ４５・スピ−カ−用発信回路
５０・外出制御回路
５１・警告・異常制御回路    ５２・制御出力回路        ５３・警告・異常切替回路
５４・点滅出力回路          ５５・音声録音発生器      ５６・異常表示保持回路
６０・外部接続機器
６０ａ・無線警報受信器      ６０ｂ・センサ−付電話機  ６０ｃ・外部電話機
７０・受信器筐体
７０ａ・パネル板取付穴      ７１・操作パネル          ７１ａ・パネル板固定用鉄板
７２・表示警報部筐体        ７２ａ・筐体固定パイプ    ７３・外出キ−磁石収納箱
７４・受信器回路ユニツト    ７５・表示・警報接続線    ７６・飾り板付可動パネル
７６ａ・パネル板取付金具    ７６ｂ・パネル板固定ネジ  ７６ｃ・飾り板付磁石
８０・外部警報器
８１・外部警報接続端子      ８２・抵抗器              ８３・ダイオ−ド
８４・充電池                ８５・警告判別器          ８６・異常警報判別器
８７・電源切替スイツチ      ８８・音声警報制御回路    ８９ａ・スピ−カ−
８９ｂ・警報表示ランプ
【図１】
2007241965.tif 000003
【図２】
2007241965.tif 000004
【図３】
2007241965.tif 000005
【図４】
2007241965.tif 000006
【図５】
2007241965.tif 000007
【図６】
2007241965.tif 000008
【図７】
2007241965.tif 000009
【図８】
2007241965.tif 000010
【図９】
2007241965.tif 000011
【図１０】
2007241965.tif 000012